(57)【要約】【課題】前扉の裏面側の設定変更ボタンへの不正なアクセスを防止することができる遊技機の内部構造を提供する。【解決手段】設定変更ボタン４６９の操作部を、前扉４の裏面側のほぼ左右中心に位置させると共に、開閉蓋４７０の開き方及びヒンジ位置を、前扉４の開き方及びヒンジ位置と同様の態様とするか、または上開き（下ヒンジ）、または下開き（上ヒンジ）とする。【選択図】図３
2008220491.tif 000002
【特許請求の範囲】
【請求項１】
前扉の裏面側に設けられた設定変更ボタンの操作部を、開閉蓋によって常時閉じておく遊技機の設定変更ボタンの不正操作防止構造において、
前記設定変更ボタンを前記前扉の裏面側のほぼ左右中心に位置させると共に、前記開閉蓋の開き方及びヒンジ位置を、前記前扉の開き方及びヒンジ位置と同様の態様とするか、または上開き、下ヒンジ、または下開き、上ヒンジとしたことを特徴とする遊技機の設定変更ボタンの不正操作防止構造。
【請求項２】
前記開閉蓋は、枠体状の支持ベースにヒンジ部を介して開閉可能に支持され、かつ、前記開閉蓋が閉じた状態にあっては、前記開閉蓋のヒンジ結合部に隣あった枠部材とほぼ面一となることを特徴とする請求項１に記載の遊技機の設定変更ボタンの不正操作防止構造。
【発明の詳細な説明】
【技術分野】
【０００１】
この発明は、スロットマシン等の遊技機の設定変更ボタンの不正操作防止構造に関する。
【背景技術】
【０００２】
従来、この種の遊技機の設定変更ボタンの不正操作防止構造にあっては、図６に示されるように、前扉４の裏面側に設けられた設定変更ボタン４６９の操作部（紙面手前側）を、開閉蓋４７０によって常時閉じておくことによって、不正操作がなされないようにしていた。これは、設定変更ボタン４６９の不正操作によって当たり図柄が発生する確率が所定範囲内において高められてしまうのを防止するためである（例えば、特許文献１参照）。
なお、図５中の符号４５は、中央制御基板カバーを示しており、設定変更ボタン４６９及び開閉蓋４７０は、中央制御基板カバー４５に設けられた開口部４５１に配設されている。
【０００３】
【特許文献１】特開２００５−２１４３８号公報
【発明の開示】
【発明が解決しようとする課題】
【０００４】
しかしながら、上記した従来の遊技機の設定変更ボタンの不正操作防止構造にあっては、図７に示されるように、設定変更ボタン４６９は、スライドヒンジ３によって支持された右開き（左ヒンジ）の前扉４をあけてすぐのところ、すなわち、前扉４の裏面側の施錠装置ユニット４８０に近接して配置されているうえに、開閉蓋４７０は左開き（右ヒンジ）となっていた。このため、筐体２と前扉４との隙間から差し込まれた針金等によって、開閉蓋４７０が容易に開けられて、設定変更ボタン４６９が不正操作されやすいという問題があった。
【０００５】
本発明は、こうした事情に鑑みてなされたものであり、設定変更ボタンの不正操作をより確実に防止することが可能な遊技機の設定変更ボタンの不正操作防止構造を提供することを目的とする。
【課題を解決するための手段】
【０００６】
上記目的を達成するため請求項１に記載の発明は、前扉の裏面側に設けられた設定変更ボタンの操作部を、開閉蓋によって常時閉じておく遊技機の設定変更ボタンの不正操作防止構造において、
前記設定変更ボタンを前記前扉の裏面側のほぼ左右中心に位置させると共に、前記開閉蓋の開き方及びヒンジ位置を、前記前扉の開き方及びヒンジ位置と同様の態様とするか、または上開き、下ヒンジ、または下開き、上ヒンジとしたことを特徴とする。
【０００７】
請求項１に記載の発明によれば、設定変更ボタンの操作部を、前扉の裏面側のほぼ左右中心に位置させることにより、設定変更ボタンへの不正なアクセスを困難なものとしたうえで、開閉蓋の開き方及びヒンジ位置を、前扉の開き方及びヒンジ位置と同様の態様とするか、または上開き（下ヒンジ）、または下開き（上ヒンジ）にした。これにより、筐体と前扉との隙間から針金等が差し込まれても、開閉蓋は、針金等の差し込み方向とは異なる方向にしか開かないので、開閉蓋を簡単に開くことはできなくなる。従って、設定変更ボタンの不正操作を確実に防止することが可能となる。
【０００８】
前記開閉蓋は、枠体状の支持ベースにヒンジ部を介して開閉可能に支持され、かつ、前記開閉蓋が閉じた状態にあっては、前記開閉蓋のヒンジ結合部に隣あった枠部材とほぼ面一となることを特徴とする。
【０００９】
請求項２に記載の発明によれば、開閉蓋は、開閉蓋のヒンジ結合部に隣あった枠部材と面一となるので、針金等が開閉蓋に引っかかりにくくすることができる。これにより、設定変更ボタンの不正操作をより確実に防止することができるようになる。
【発明の効果】
【００１０】
本発明の遊技機の設定変更ボタンの不正操作防止構造によれば、設定変更ボタンを、前扉の裏面側のほぼ左右中心に位置させると共に、開閉蓋の開き方及びヒンジ位置を、前扉の開き方及びヒンジ位置と同様の態様とするか、または上開き（下ヒンジ）、または下開き（上ヒンジ）にした。これにより、筐体と前扉との隙間から針金を差し込んだだけでは、開閉蓋を簡単に開くことはできないようになるので、設定変更ボタンの不正操作を確実に防止することが可能となる
【発明を実施するための最良の形態】
【００１１】
以下、本発明の好適な一実施形態を、スロットマシンを例に図面を参照して説明する。図１は、スロットマシンの正面図、図２は、前扉を開放した状態におけるスロットマシンの内部構造を示した正面図である。
なお、従来と同様の構成部材については、同一の符号を付している。
【００１２】
スロットマシン１は、図１，２に示されるように、前面が開放した矩形状箱体の筐体２（図２に図示）と、この筐体２にスライドヒンジ３，３を介して開閉可能に取り付けられた右開き（左ヒンジ）の前扉４と、を備えて構成されている。
【００１３】
まず、筐体２の内部構造について説明する。
筐体２は、図２に示されるように、いずれも木製の上板部２ａ、左右側板部２ｂ，２ｃ、底板部２ｄ、背板部２ｅを備えて構成されている。
筐体２内の背板部２ｅの上部には、スロットマシン１の全体動作を集中制御するＣＰＵ（マイコン）を備えた主制御基板２０が、硬質プラスチック製のカバー２１内に収容された状態で取り付けられている。カバー２１は、主制御基板側に設けられた基板側カバーに蓋側カバーが重ね合わされた状態で、両カバー上部間に跨った２つのかしめ具としてのかしめキャップ２２により内部封止がなされている。かしめキャップ２２は、ほぼ円筒状の本体部の左右側部に一体形成された前後２つの固定係止爪が、それぞれ基板側カバー或いは蓋側カバーの所定位置に係止することにより、基板側カバーと蓋側カバーとを抜け止め固定し、カバー２１を封止するようになっている。
【００１４】
また、筐体２内の右側板部２ｃの上部には、スロットマシン１からホールコンピュータに向かって所定の情報データ（例えば、大当たり、払い戻し数等）を出力するための外部出力端子を備えた外部集中端子基板２３が取り付けられている。
【００１５】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。
【００１６】
リール１０１ａ，１０１ｂ，１０１ｃは、それぞれに内蔵されたステッピングモータによって回転駆動されるものであって、リールユニット１００の上面には、ステッピングモータへ４相の駆動パルス信号を送出する回胴装置基板２４が取り付けられている。そして、主制御基板２０が回胴装置基板２４に回胴駆動（励磁）パルスデータを送出することで、リールｌ０１ａ，１０１ｂ，１０１ｃの回転、制動及び停止の制御が行われるようになっている。
【００１７】
リールユニット１００の下方側、つまり筐体２内の底板部２ｄの上面中央には、筐体２内に投入されたメダル等の遊技媒体（以下、メダルという）を収容するホッパ装置２５が取り付けられている。このホッパ装置２５の右側には、このホッパ装置２５から溢れたメダルを収容するための補助貯留部２６が取り付け固定されている。また、ホッパ装置２５の左側には、外部から電力供給を受けて内部装置に必要な電力を供給する主電源装置２７が取り付け固定されている。この主電源装置２７には、いわゆる配電盤に相当する電源装置基板が内蔵されている。
【００１８】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１９】
上部パネル部５の中央には、パネル面５０が設けられている。このパネル面５０のほぼ中央には、略矩形状の透明な表示窓５１が設けられており、この表示窓５１を通して、筐体２内に設けられたリールユニット１００の３個のリール１０１ａ，１０１ｂ，１０１ｃを目視できるようになっている。
【００２０】
上部パネル部５の上部や左右側部には、レンズパネルの内部に蛍光灯や高輝度発光ダイオード等の光源を内蔵する照明手段としての照明演出装置５２、演出用照明部５３ａ〜５３ｈが配設されている。これら照明演出装置５２、演出用照明部５３ａ〜５３ｈは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている
【００２１】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２２】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４９ａ，４９ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に、遊技者の喫煙の用に供するための灰皿部材６５が設けられている。
【００２３】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｈと同様に、ゲームの進行に応じて点灯或いは点滅することで、ゲームにおける視覚的な演出効果を高めるようになっている。
【００２４】
操作卓７は、その上面側（操作パネル）に、メダル投入部７１、ベットボタン７２，７３が配設されていると共に、前面側（フロントマスク）に、スタートレバー７４、ストップボタン７５ａ，７５ｂ，７５ｃ、積算ボタン７６、イジェクトボタン７７、鍵穴７８が配設されている。
【００２５】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２６】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２７】
イジェクトボタン７７は、メダル投入後に詰まったメダルを排出するボタンスイッチである。
鍵穴７８は、前扉４を開錠するための鍵が挿入されるものであって、この鍵穴７８にスロットマシン１の管理者などが所定の鍵を挿入して開錠操作すると、スライドヒンジ３，３を介して筐体２に取り付けられた前扉４を前方へ開くことができるようになっている。また、前扉４を筐体２側に閉じると、自動的にこれらを施錠するようになっている。
【００２８】
次に、前扉４の裏面構造について説明する。
図２に示されるように、前扉４の裏面側上部、つまり、液晶表示装置５５の裏面側にあたる位置には、電気回路基板によって形成されたサブ制御基板４０が、カバー２１と同様の態様により、硬質プラスチック製のカバー４１に収納された状態で配設されている。このサブ制御基板４０は、液晶表示演出装置５５による演出映像の表示制御、照明演出装置５２及び演出用照明部５３ａ〜５３ｈ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２９】
サブ制御基板４０の下方側、すなわち、パネル面５０の裏面側にあたる位置には、リールｌ０１ａ，１０１ｂ，１０１ｃの外周面を照射して図柄を明るく表示させるための冷陰極蛍光ランプを収納した収納部４３と、冷陰極蛍光ランプを駆動するインバータ４４と、硬質プラスチック製の中央制御基板カバー４５に収納された中央制御基板４６とが、ユニット化された状態で取り付けられている。
【００３０】
中央制御基板４６の下方には、メダル選別装置４７が配設されている。このメダル選別装置４７は、メダル投入部７１から投入されたメダルの適否を判別し振り分ける装置である。さらに、このメダル選別装置４７は、メダルセンサを内蔵しており、ゲームの待機状態等において正規のメダルが投入されてメダルセンサがこのメダルを検出すると、メダル投入の受け付けを示す信号を中央制御基板４６へ送出するようになっている。
【００３１】
また、メダル選別装置４７には、メダル選別装置４６の右側面から排出された正規のメダルを筐体２内に設けられたホッパ装置２３へ案内する紙面奥側から手前側に延びた平面視Ｊ字状のガイド部材４８ａと、メダル選別装置４６により排除されたメダル（或いは異物）を下方のメダル排出口６３へ案内するガイド部材４８ｂとが連なっている。さらに、ガイド部材４８ｂの下部には、ホッパ装置２３から排出されたメダルをメダル排出口６３へ案内するガイド部材４８ｃが連なっている。
また、前扉４の裏面側下部、つまり、演出用放音部６２の裏目側にあたる位置には、左右一対のスピーカ４９ａ，４９ｂが配設されている。
【００３２】
そして、スロットマシン１は、遊技者がメダルを投入し、今回の遊技に賭けるメダル数を選択するベットボタン７２，７３の何れかを押圧操作し、スタートレバー７４を叩いてリール１０１ａ，１０１ｂ，１０１ｃを回転させ、ストップボタン７５ａ，７５ｂ，７５ｃを押してリール１０１ａ，１０１ｂ，１０１ｃが停止した際の各リール１０１ａ，１０１ｂ，１０１ｃに描かれている図柄や数字等の識別情報が所定の組み合せとなると、その組み合わせの態様に応じて予め定められた枚数のメダルを払い出すようになっている。
【００３３】
次に、本発明のスロットマシンの設定変更ボタンの不正操作防止構造について図３〜５を用いて説明する。図３は、設定変更ボタンを説明するためのパネル面の裏面側における分解斜視図、図４は、同パネル面の裏面側における斜視図、図５は、図４中のＡ−Ａ矢視断面図である。
【００３４】
図３〜５に示されるように、前扉４（パネル面５０）の裏面側には、電気回路基板によって形成された中央制御基板４６が、エンジニアリングプラスチック、例えば、ＰＣ（ポリカーボネート）製の透明な中央制御基板カバー４５によって覆われた状態で取り付けられている。
【００３５】
この中央制御基板４６の下部には、図３に示されるように、前扉４の開閉センサ用コネクタ４６１、投入センサ用コネクタ４６２、接続モニタ用コネクタ４６３、ストップボタン用コネクタ４６４、スタートレバー及びマックスベットボタン用コネクタ４６５、積算スイッチ及び１ベットボタン用コネクタ４６６、パネル内照明用コネクタ４６７、ハーネス（内部配線）接続用の基板側コネクタ４６８、が一体的に設けられている。基板側コネクタ４６８には、ハーネス（内部配線）としての５０ピンフラットハーネスのハーネス側コネクタの左右下肩部を係止保持するように左右方向に開閉動作する一対の可動係止爪４６８ａ，４６８ｂを備えている。
【００３６】
中央制御基板４６のほぼ左右中心には、ゲームの当たり発生確率を段階的に設定変更する押圧式の設定変更ボタン４６９が、その操作部（筐体２に臨む面部のこと）をほぼ正方形の開閉蓋４７０によって覆われた状態で一体的に設けられている。すなわち、従来では、設定変更ボタン４６９の操作部は、前扉４をあけてすぐのところ、つまり前扉４の裏面側の施錠装置ユニット４８０（反スライドヒンジ側）に近接して配設されていたのに対し、本実施形態にあっては、筐体２の左右側面２ｂ，２ｃからほぼ均等に離れた位置、具体的には、中央制御基板４６のほぼ左右中心となる位置に移設されている。これにより、設定変更ボタン４６９への不正なアクセスを困難なものとしている。
【００３７】
さらに、開閉蓋４７０は、右開き、左ヒンジの前扉４と同様に、前扉４の裏面側において右開き、左ヒンジとされており（図５参照）、ヒンジ結合部に設けたねじりバネ４７１（図３に図示）により、常時、設定変更ボタン４６９の操作部を閉ざすようになっている。これにより、筐体２と前扉４との隙間等から針金等が差し込まれても、開閉蓋４７０は、針金等の差し込み方向とは逆の方向にしか開かないので、開閉蓋４７０を簡単に開くことはできないようになっている。
なお、開閉蓋４７０は、右開き（左ヒンジ）にのみ限定されるものではなく、下開き（上ヒンジ）、または、上開き（下ヒンジ）としてもよい。これらによっても、開閉蓋４７０は、針金等の差し込み方向とは異なる方向にしか開かないので、開閉蓋４７０を簡単に開くことはできないようにすることができる。
【００３８】
また、この開閉蓋４７０は、図３に示されるように、四角枠体の支持ベース４７２を介して中央制御基板４６に取り付けられていると共に、開閉蓋４７０が閉じた状態にあっては、図５に示されるように、ヒンジ結合部に隣り合った支持ベース４７２の上枠４７２ａと下枠４７２ｂとほぼ面一とされている。このため、開閉蓋４７０に針金等が引っかかりにくくすることができると共に、開閉蓋４７０は、開閉蓋４７０の右側に指などを引っ掛けて開かなければならないので、開閉蓋４７０を不正に開くことはより困難なものとなっている。
【００３９】
そして、この開閉蓋４７０は、図３〜５に示されるように、設定変更ボタン４６９が中央制御基板カバー４５から露出するように設けられた開口部４５１の奥側に位置するようになっている。この開口部４５１は、支持ベース４７１に応じて紙面奥側がほぼ正方形、紙面手前側がスライドヒンジ側に向かって延びた横長矩形状に形成されており、開閉蓋４７０の右側からのみ、開口部４５１の奥側に突起物や指等を差し入れて開閉蓋４７０を開くことができるようになっている。
【００４０】
なお、図３，４中の符号６００は、基板側コネクタ４６８とハーネス側コネクタとを覆うコネクタカバー、符号６１０は、コネクタカバー６００と中央制御基板カバー４５とを抜け止め固定するかしめキャップ、符号６１１は、中央制御基板カバー４５を中央制御基板４６に固定する固定ネジを封止するかしめキャップを示している。また、中央制御基板４６は、パネル面５０の裏面側に固定ネジ８０（図５に図示）によってネジ止め固定されるようになっている。
【００４１】
以上説明したように本発明によれば、設定変更ボタン４６９の操作部を、前扉４の裏面側のほぼ左右中心に位置させることにより、設定変更ボタン４６９への不正なアクセスを困難なものとしたうえで、開閉蓋４７０の開き方及びヒンジ位置を、前扉４の開き方及びヒンジ位置と同様の態様とするか、または上開き（下ヒンジ）、または下開き（上ヒンジ）にした。これにより、筐体２と前扉４との隙間から針金等が差し込まれても、開閉蓋４７０は、針金等の差し込み方向とは異なる方向にしか開かないので、開閉蓋４７０を簡単に開くことはできなくなる。従って、設定変更ボタン４６９の不正操作を確実に防止することが可能となる。
また、本発明によれば、開閉蓋４７０は、開閉蓋４７０のヒンジ結合部に隣あった上枠４７２ａ，４７２ｂと面一となるので、針金等が開閉蓋４７０に引っかかりにくくすることができる。これにより、設定変更ボタン４６９の不正操作をより確実に防止することができるようになる。
【図面の簡単な説明】
【００４２】
【図１】スロットマシンの正面図である。
【図２】前扉を開放した状態におけるスロットマシンの内部構造を示した正面図である。
【図３】同例における設定変更ボタンを説明するためのパネル面の裏面側における分解斜視図である。
【図４】同パネル面の裏面側における斜視図である。
【図５】図４中のＡ−Ａ矢視断面図である。
【図６】従来の遊技機の設定変更ボタンの不正操作防止構造を説明するためのの図である。
【図７】従来の遊技機における前扉と開閉蓋との開き方、ヒンジ位置を説明するための模式図である。
【符号の説明】
【００４３】
１…スロットマシン（遊技機）
３…スライドヒンジ
４…前扉
４５…中央制御基板カバー
４５１…開口部
４６…中央制御基板
４６９…設定変更ボタン
４７０…開閉蓋
４７１…ねじりバネ
４７２…支持ベース
４７２ａ…上枠
４７２ｂ…下枠
【図１】
2008220491.tif 000003
【図２】
2008220491.tif 000004
【図３】
2008220491.tif 000005
【図４】
2008220491.tif 000006
【図５】
2008220491.tif 000007
【図６】
2008220491.tif 000008
【図７】
2008220491.tif 000009